(57)【要約】【課題】園芸用などの鋏において、装着した緩衝部材が脱落することがない緩衝部材固定構造を実現する。【解決手段】刃体１、２には軸支位置よりも基方の対向側縁部分に、側縁に開放される形状の切欠部６を形成する。この切欠部６に、切欠部６と同一平面形状であって刃体１、２と同じ厚みの嵌合部7aと、この嵌合部7aから側縁方向に突出する当たり部7bとで構成する緩衝部材７の嵌合部を嵌合させる。緩衝部材７の嵌合部7aを刃体１、２の切欠部６に嵌合させた状態で、断面略Ｕ字状に形成した把持柄４を外側方から挿入し、緩衝部材７の嵌合部7aの表裏両面を把持柄で挟んだ状態で、把持柄４、５を刃体１、２に固定する。【選択図】図４
2011062275.tif 000002
【特許請求の範囲】
【請求項１】
一対の刃体を軸支し刃体の基方に装着した柄の開閉動作によって被切断物を切断し、刃体の軸支位置よりも基方において、刃体を閉じたときに当接する緩衝部材を刃体の対向側縁に突出させる鋏において、
刃体には軸支位置よりも基方の対向側縁部分に、側縁に開放される形状の切欠部を形成するとともに、該切欠部に切欠部と同一平面形状であって刃体と同じ厚みの嵌合部と該嵌合部から突出する当たり部とで構成する緩衝部材の、嵌合部を嵌合させ、刃体の切欠部に嵌合させた状態で断面略Ｕ字状に形成した把持柄を外側方から挿入し、緩衝部材の嵌合部の表裏両面を把持柄で挟んだ状態で把持柄を刃体に固定することによって、緩衝部材を刃体に固定したことを特徴とする鋏の緩衝部材固定構造。
【請求項２】
刃体に形成する切欠部及び緩衝部材の嵌合部の平面形状は、緩衝部材の嵌合部を、刃体面と交差する方向の移動によって切欠部に嵌合させることができ、刃体面と平行する方向に移動しない形状としたことを特徴とする請求項１記載の鋏の緩衝部材固定構造。
【請求項３】
緩衝部材の嵌合部から突出する当たり部は、嵌合部の表裏両面から突出する厚みとして嵌合部との間に段部を形成し、該段部に把持柄の内側縁を当接させるとともに、一対の刃体にそれぞれ装着した緩衝部材の当たり部の対向する内側面どうしを緩衝面として当接させることを特徴とする請求項１又は２記載の鋏の緩衝部材固定構造。
【発明の詳細な説明】
【技術分野】
【０００１】
この発明は、園芸用の剪定鋏のように、一対の刃体を軸支し刃体の基方に装着した柄の開閉動作によって被切断物を切断し、刃体の軸支位置よりも基方において、刃体を閉じたときに当接する緩衝部材を刃体の対向側縁に突出させる鋏に関する発明である。
【背景技術】
【０００２】
園芸用などの鋏において、指詰めの防止や刃体開閉時のショックを和らげる目的で、一対の刃体を所定位置まで閉じたときに当接し、それ以上閉じるとこができないようにする緩衝部材を設けることが広く行われている。
特許文献１に記載された鋏は、一対の刃体の基方にハンドルを装着したものであるが、刃体そのものに当たり部を形成した発明が記載されている。特許文献２には、刃体に切欠きを形成しておき、柄を成型するときに刃体の切欠き部分に、緩衝用のストッパを受容する開口部を形成した発明が開示されている。
特許文献３には、軟質のプラスチックやゴム材で形成する柄に金属製の当たりをネジ止めする構造が開示されている。
【先行技術文献】
【特許文献】
【０００３】
【特許文献１】特開２００１−１０４６６５号公報
【特許文献２】特開昭６０−２３６６８０号公報
【特許文献３】実開平０６−６１０３５号公報
【発明の概要】
【発明が解決しようとする課題】
【０００４】
特許文献１に開示されているように、刃体そのものに当たりを形成するものは、刃体の開閉動作に対して緩衝効果を期待することができない。また、特許文献２に開示されるように、柄の一部にストッパの収容部分を形成するものでは、一々収容部分を形成する必要があり、収容部分に収容したストッパは脱落する可能性がある。
【０００５】
上記、従来技術の欠点に鑑み、本発明は適度な緩衝効果のある緩衝部材を容易に装着することができるとともに、装着した緩衝部材が脱落するようなことがなく、確実に装着状態を維持することができる鋏の緩衝部材固定構造を実現することを目的とするものである。
【課題を解決するための手段】
【０００６】
上記目的を達成するための請求項１記載の発明は、一対の刃体１、２を軸支し刃体１、２の基方に装着した把持柄４、５の開閉動作によって被切断物を切断し、刃体１、２の軸支位置よりも基方において、刃体１、２を閉じたときに当接する緩衝部材７、７を刃体１、２の対向側縁に突出させる鋏に関するものである。
【０００７】
刃体１、２には軸支位置よりも基方の対向側縁部分に、側縁に開放される形状の切欠部６を形成する。そして、この切欠部６と同一平面形状であって刃体１、２と同じ厚みの嵌合部7aと、この嵌合部7aから突出する当たり部7bとで構成する緩衝部材７を装着する。緩衝部材７の嵌合部7aを刃体１、２の切欠部６に嵌合させた状態で、断面略Ｕ字状に形成した把持柄４を外側方から挿入し、緩衝部材７の嵌合部7aの表裏両面を把持柄で挟んだ状態で、把持柄４、５を刃体１、２に固定する。これにより、緩衝部材７、７はそれぞれ刃体１、２に固定される。
【０００８】
請求項２記載の発明は、刃体１、２に形成する切欠部６及び緩衝部材７の嵌合部7aの平面形状に関し、緩衝部材７の嵌合部7aを、刃体面と交差する方向の移動によって切欠部６に嵌合させることができ、刃体面と平行する方向には移動しない形状とすることである。
【０００９】
請求項３記載の発明は、緩衝部材７の嵌合部7aから側縁方向に突出する当たり部7bの形状に関し、当たり部7bの厚みを嵌合部7aの表裏両面から突出する厚みとし、嵌合部7aとの間に段部7cを形成させる。そして、段部7cに把持柄４、５の内側縁を当接させるとともに、一対の刃体１、２にそれぞれ装着した緩衝部材７、７の当たり部7b、7bの対向する内側面どうしを緩衝面として当接させることである。
【発明の効果】
【００１０】
請求項１記載の発明によれば、緩衝部材７の嵌合部7aが、刃体１、２の切欠部６に嵌合した状態で、断面略Ｕ字状に形成した把持柄４、５を外側方から挿入し、緩衝部材７の嵌合部7aの上を覆った状態で把持柄４、５を刃体１、２に固定することによって緩衝部材も固定される。緩衝部材７は把持柄４、５によって表裏両面が覆われた状態となるため、刃体の面と交差する方向には抜け出さない。そして、一対の刃体１、２の開閉動作に伴う当接によって、緩衝部材７、７を切欠部６、６に押し込むように作用する。そのため、一旦装着した緩衝部材７は脱落する虞がない。
【００１１】
請求項２記載の発明によれば、緩衝部材７の嵌合部7aを、刃体１、２の面と交差する方向の移動によって切欠部６、６に嵌合させることができ、刃体１、２の面と平行する方向には移動しない形状とする。そして、刃体１、２に形成する切欠部６、６に緩衝部材７の嵌合部7aが嵌合した状態で、嵌合部7aの表裏両面を断面略Ｕ字状に形成した把持柄４で覆うため、緩衝部材７は全く妄動の可能性がなく、緩衝部材７を刃体１、２の所定位置により確実に固定することができる。
【００１２】
請求項３記載の発明によれば、刃体１、２の対向位置に装着した緩衝部材７、７を広い幅の当たり部7bで当接させることができるため、安定的な当接状態を実現することができるとともに、当接の力の一部は緩衝部材７の段部7cにおいて、断面略Ｕ字状に形成した把持柄４の内側縁に当接させるため、緩衝部材７の表裏両面における全長の広い範囲で当接力が支受される。そのため、開閉動作の当たりに安定感があり、緩衝部材７に作用する力が分散するため、緩衝部材７の磨耗や破損が少なく丈夫なものとなる効果がある。
【図面の簡単な説明】
【００１３】
【図１】図１は、一部を切欠して示す刃体を開いた状態の鋏全体の正面図、
【図２】図２は、刃体を閉じた状態の鋏全体の正面図、
【図３】図３は、図２のIII‐III線断面図、
【図４】図４は、刃体と緩衝部材及び把持柄の一部を分離させて示す分解斜視図、
【図５】図５は、刃体の基部と緩衝体の正面図。
【発明を実施するための形態】
【００１４】
以下、本発明に係る鋏の緩衝部材固定構造の実施形態を添付の図面に基づいて説明する。
図１は、刃体を開いた状態の鋏全体の正面図、図２は、刃体を閉じた状態の鋏全体の正面図である。
図１、図２に示す鋏は、主として園芸用の鋏であって、一対の刃体１、２を軸３によって軸支し、軸支位置よりも先方に鋭利な切り刃1a、2aを形成し、軸支位置よりも基方に装着した把持柄４、５の開閉動作によって被切断物を切断するものである。刃体１、２を軸３によって軸支するに際し、刃体１、２には、それぞれ取付孔15を穿設している。刃体１、２は、把持柄４、５の上部に両端を支持させたバネ８によって常時刃体を開く方向に付勢し、把持柄の握り動作によって切断作業を円滑に行うようにしている。バネ８の両端は、把持柄に形成した係止部９、９に係止させている。
【００１５】
刃体１、２の軸支位置よりも基方には、刃体１、２を閉じたときに当接する緩衝部材７、７を刃体１、２の対向側縁に向けて突出させている。従って、把持柄４、５を強く握っても緩衝部材７どうしが当接し、刃体１、２を閉じ過ぎて指を詰めたりするようなことがなく、また衝撃が吸収されることによって安心して使用することができる。
【００１６】
本発明に係る緩衝部材７の取り付け構造は、刃体１、２の軸支位置よりも基方の対向側縁部分に、側縁に開放される形状の切欠部６を形成するとともに、切欠部６と同一平面形状であって刃体１、２と同じ厚みの嵌合部7aと、この嵌合部7aから突出する当たり部7bとで構成する緩衝部材７を装着している。
さらに、緩衝部材７の嵌合部7aを刃体１、２の切欠部６に嵌合させた状態で、図３に示すように鋼板を断面略Ｕ字状に折曲形成した把持柄４を外側方から挿入し、緩衝部材７の嵌合部7aを覆った状態、換言すれば把持柄によって、表裏両面を挟んだ状態で把持柄４、５を刃体１、２にカシメピン10、11で固定している。把持柄４、５には、カシメピンを通過させるための取付孔16、17が穿設してある。
【００１７】
図示実施形態の切欠部６の形状は、図５に示すように半円弧状とし、半円弧状の両先端部分に膨らみ部6a、6a、具体的には小円形状部分を形成している。刃体１、２には、切欠部６とは別にカシメピン10、11の取付孔12、13を穿設している。
切欠部６に嵌合させる緩衝体７の嵌合部7aは、前記刃体１、２の切欠部６と同一形状の半円弧状とし、半円弧状の両先端部分に小円形の膨らみ部7d、7dを形成している。そして嵌合部の内側方には、当たり部7bを一体に突出形成している。
【００１８】
切欠部６及び切欠部６に嵌合する緩衝部材７の嵌合部7aを上記形状とすることによって、緩衝部材７は刃体１、２の面と交差する方向、より具体的には直交する方向の移動によって切欠部６に嵌合させることができる。そして、刃体１、２の面と平行する方向には緩衝部材７を移動させることができない。この状態で、図３に示すように断面略Ｕ字状に形成した把持柄４、５を外側方から挿入し、緩衝部材７の嵌合部7aの上を覆った状態で把持柄４、５を刃体１、２にカシメピン10で固定する。これにより、緩衝部材７は確実に固定される。
【００１９】
切欠部６及び緩衝部材７の嵌合部形状は、必ずしも上記形状に限定されるものではない。緩衝部材７は、刃体の面と平行な方向に移動しない形状であるのが望ましいが、刃体の面と平行な方向に移動可能な形状であっても、断面略Ｕ字状に形成した把持柄４、５を外側方から挿入し、緩衝部材７の嵌合部7aの上を覆った状態で固定することから、緩衝部材７は抜け出すことはなく、かつ一対の刃体１、２の開閉動作に伴う当接によって、緩衝部材７、７を切欠部６、６に押し込むように作用する。切欠部６及び緩衝部材７の嵌合部7aを、刃体の面と平行な方向に移動しない形状とするには、少なくとも開放側よりも奥に広い部分が形成されている、あるいは開放端よりも奥に膨らみが形成されているような、任意形状とすることができる。
【００２０】
緩衝部材７の嵌合部7aから突出する当たり部7bの厚みは、嵌合部7aの表裏両面に把持柄を構成する部材、換言すれば鋼板の厚み分を突出させた厚みとし、嵌合部7aと当たり部7bとの間に段部7cを形成させている。換言すれば、図３に示すように、緩衝部材７の当たり部7bは、嵌合部7aを挟み込んでカシメピンで固定し、Ｕ字状に折曲した把持柄の厚みと一致する厚みとしている。そして、上記嵌合部7aと当たり部7bとの間の段部7cに、把持柄４、５の内側縁を当接させるようにしている。
【００２１】
上記構成とすることによって、把持柄の内側縁部分と同じ、比較的大きな厚みの当たり部7bで当接し、厚みの表裏両端部分を段部に当接している把持柄によって当接の力を支受するため、安定的な当接状態を実現することができることになる。すなわち、把持柄の内側縁の比較的広い範囲によって、緩衝部材に作用する力を安定的に支受することになる。
【００２２】
緩衝部材７は、ある程度柔軟性があり、強度的に優れたエンジニアリングプラスチックなどの合成樹脂材を利用すると、刃体の開閉に伴う衝撃を吸収し、疲れない緩衝部材を備えた鋏を実現することができる。
鋼板を断面略Ｕ字状に折曲した把持柄４、５には、手で握る部分全体に軟質の合成樹脂材14を被覆し、ソフトタッチで使用することができるようにしている。
【符号の説明】
【００２３】
１、２…刃体、  ３・・・軸、  ４、５・・・把持柄、  ６・・・切欠部、  6a…膨らみ部、  ７・・・緩衝部材、  7a…嵌合部、  7b…当たり部、  7c…段部、  7d…膨らみ部、  ８…バネ、  ９・・係止部、  10、11…カシメピン、  12、13…取付孔、  14…合成樹脂材、  15、16、17…取付孔。
【図１】
2011062275.tif 000003
【図２】
2011062275.tif 000004
【図３】
2011062275.tif 000005
【図４】
2011062275.tif 000006
【図５】
2011062275.tif 000007